(57)【特許請求の範囲】
【請求項１】
クレードルクランプブラケットおよびはしごのラックから成る、クレードルクランプブラケットおよびはしごのラックの組立体であって、前記クレードルクランプブラケットは、少なくとも１つのケーブルを前記はしごのラックに固定するために前記はしごのラックに固定され、前記クレードルクランプブラケットおよびはしごのラックの組立体は、
はしご足掛かりと、
第１部分、中間部分、前記第１部分に平行な隆起第２部分、および前記隆起第２部分から下方に伸びるフランジを有する細長いブラケットと、を備え、
前記第１部分は前記第１部分の中心に沿って位置するスロットを有し、
前記第２部分は前記ブラケットを補強するための少なくとも１つのガセットを有し、前記第２部分は、前記少なくとも１つのケーブルを支持し、且つ締め紐を受けて前記少なくとも１つのケーブルを前記ブラケットの第２部分に固定するように形成されており、
前記クレードルクランプブラケットおよびはしごのラックの組立体は、前記スロット内に受けられる保定具を備え、前記保定具は、前記第１部分に受けられた前記はしご足掛かりを係合する、クレードルクランプブラケットおよびはしごのラックの組立体。
【請求項２】
前記保定具が、垂直部材及び水平部材を有する、請求項１に記載のクレードルクランプブラケットおよびはしごのラックの組立体。
【請求項３】
前記保定具が、曲がった外面及びそこを通るねじ穴を有する、請求項１に記載のクレードルクランプブラケットおよびはしごのラックの組立体。
【請求項４】
クレードルクランプブラケットおよびはしごのラックから成る、クレードルクランプブラケットおよびはしごのラックの組立体であって、前記クレードルクランプブラケットは、少なくとも１つのケーブルを前記はしごのラックに固定するために前記はしごのラックに固定され、前記クレードルクランプブラケットおよびはしごのラックの組立体は、
はしご足掛かりと、
細長いスロット及び隆起部材を有するブラケットであって、前記細長いスロットは前記ブラケットの中心で前記ブラケットの長さに伸びた、ブラケットと、
前記細長いスロット内に配置された垂直部材及び水平部材を有する保定ブラケットであって、前記水平部材は水平部材自身を貫通した開口部を備えた、保定ブラケットと、
前記保定ブラケットの前記水平部材内の前記開口部を通じて伸びる締め具と、を備え、
前記はしご足掛かりは、前記保定ブラケットと前記隆起部材との間の前記ブラケット上に配置され、前記締め具が締められるにつれて、前記保定ブラケットの水平部材が前記はしご足掛かりに係合して、前記クレードルクランプブラケットを固定し、
これにより前記少なくとも１つのケーブルは、前記隆起部材上に配置され、前記隆起部材は前記少なくとも１つのケーブルを支持し、締め紐は、前記少なくとも１つのケーブルを前記ブラケットの隆起部材に固定する、クレードルクランプブラケットおよびはしごのラックの組立体。
【請求項５】
前記ブラケットが前記細長いスロットと交差する複数の保定クリップスロットをさらに備え、前記クレードルクランプブラケットを、様々な幅を有するはしごのラックに用いることができるようにしている、請求項４に記載のクレードルクランプブラケットおよびはしごのラックの組立体。
【請求項６】
前記垂直部材が、前記保定クリップスロットの１つ内に配置される足を有する、請求項５に記載のクレードルクランプブラケットおよびはしごのラックの組立体。
【請求項７】
前記隆起部材が、ブラケット補強用の少なくとも１つのガセットを有する、請求項４に記載のクレードルクランプブラケットおよびはしごのラックの組立体。
【請求項８】
前記ブラケットが、前記隆起部材から下方に伸びるフランジをさらに備える、請求項４に記載のクレードルクランプブラケットおよびはしごのラックの組立体。
【請求項９】
前記保定ブラケットが、前記クレードルクランプブラケットを固定するために、前記はしご足掛かりを係合するための複数の接点を有する、請求項４に記載のクレードルクランプブラケットおよびはしごのラックの組立体。
【請求項１０】
クレードルクランプブラケットおよびはしごのラックの組立体であって、
はしご足掛かりと、
少なくとも１つのケーブルと、
第１部分、中間部分、および前記第１部分に平行な隆起第２部分を備える細長いブラケットであって、前記第１部分は前記はしご足掛かりを受け、前記はしご足掛かりは前記少なくとも１つのケーブル受ける、細長いブラケットと、を備え、
前記第１部分は、前記第１部分の中心に沿って位置するスロットを有し、
前記第２部分は前記ブラケットを補強するための少なくとも１つのガセットを有し、前記第２部分は、前記少なくとも１つのケーブルを支持し、且つ締め紐を受けて前記少なくとも１つのケーブルを前記ブラケットの第２部分に固定し、
前記クレードルクランプブラケットおよびはしごのラックの組立体は前記スロット内に受けられる保定具を備え、前記保定具は、前記第１部分上に受けられた前記はしご足掛かりと係合する、クレードルクランプブラケットおよびはしごのラックの組立体。
【請求項１１】
前記保定具が、垂直部材及び水平部材を有する、請求項１０に記載のクレードルクランプブラケットおよびはしごのラックの組立体。
【請求項１２】
クレードルクランプブラケットおよびはしごのラックから成る、クレードルクランプブラケットおよびはしごのラックの組立体であって、前記クレードルクランプブラケットは、少なくとも１つのケーブルを前記はしごのラックに固定するために前記はしごのラックに固定され、前記クレードルクランプブラケットおよびはしごのラックの組立体は、
はしご足掛かりと、
第１部分、中間部分、および前記第１部分に平行な隆起第２部分を備えるブラケットであって、前記第１部分がスロットを備える凹状領域を有するブラケットと、
前記凹状領域内に受けられるはしご足掛かりナットと、
前記凹状領域の前記スロットを通じて前記はしご足掛かりナットへと伸びる締め具及び前記締め具に係合する圧縮バネと、を備え、
前記ブラケットは、前記はしご足掛かりの下に配置され、且つ前記はしご足掛かりナットは、前記はしご足掛かりを係合するよう締められ、それにより前記クレードルクランプブラケットを前記はしごのラックに固定し、
これにより、前記少なくとも１つのケーブルは前記はしご足掛かり上に配置され、前記ブラケットの隆起第２部分は前記少なくとも１つのケーブルを支持し、締め紐が前記少なくとも１つのケーブルを前記隆起第２部分に固定する、クレードルクランプブラケットおよびはしごのラックの組立体。
【請求項１３】
前記スロット及び前記凹状領域が、前記ブラケットの第１部分の中心に配置される、請求項１２に記載のクレードルクランプブラケットおよびはしごのラックの組立体。
【請求項１４】
前記圧縮バネが、前記はしご足掛かりへの取り付けを容易にするために、前記締め具及び前記はしご足掛かりナットを直立状態に維持する、請求項１２に記載のクレードルクランプブラケットおよびはしごのラックの組立体。
【請求項１５】
前記凹状領域が、完全に圧縮された場合に、はしご足掛かりナットを前記はしご足掛かりのフランジ上に据え付けることができる前記圧縮バネを受ける、請求項１２に記載のクレードルクランプブラケットおよびはしごのラックの組立体。
【請求項１６】
前記はしご足掛かりナットが、曲がった外面を有し、前記はしご足掛かりナットが、前記はしご足掛かりナットの前記曲がった外面が前記はしご足掛かりのフランジと係合するまで前記締め具と共に回転し、それにより前記締め具が締め付けられるにつれて、前記はしご足掛かりナットを前記はしご足掛かりの前記フランジ上にクランプさせる、請求項１２に記載のクレードルクランプブラケットおよびはしごのラックの組立体。
【請求項１７】
前記はしご足掛かりナットが、前記はしご足掛かりナットを通じて伸びるねじ穴を含む、請求項１２に記載のクレードルクランプブラケットおよびはしごのラックの組立体。
【請求項１８】
前記ブラケットの第１部分が、前記ブラケットの第１部分の長さに伸びる第１主スロット、及び前記第１主スロットと交差し、且つ前記第１主スロットの遠位端に位置する第２スロットをさらに備える、請求項１２に記載のクレードルクランプブラケットおよびはしごのラックの組立体。
【請求項１９】
前記第１主スロット及び前記第２スロットは、前記ブラケットの第１部分内においてＴ型を形成する、請求項１８に記載のクレードルクランプブラケットおよびはしごのラックの組立体。
【請求項２０】
前記隆起第２部分が、前記ブラケット補強用の少なくとも１つのガセットを有する、請求項１２に記載のクレードルクランプブラケットおよびはしごのラックの組立体。
【請求項２１】
前記ブラケットが、前記隆起第２部分から下方に伸びるフランジをさらに備える、請求項１２に記載のクレードルクランプブラケットおよびはしごのラックの組立体。
【発明の詳細な説明】
【技術分野】
【０００１】
本発明は、ブラケット組立体に関し、より詳細には、はしごのラックの足掛かりにケーブルを固定するクレードルクランプブラケット組立体に関する。
【背景技術】
【０００２】
従来のケーブルクリートは一般的に、パネル、はしごのラック、または類似の構造部材にワイヤ又はケーブルの束を固定するために用いられてきた。ケーブルクリートは、ワイヤまたはケーブル束を受ける取り付け面及び本体部分を含む。しかしながら従来のケーブルクリートは、一般的に取り付けが困難でかつ時間がかかる。よって、労務費を大幅に削減し、かつ生産性を増加することで効果的に取り付けられるブランケット組立体を供給することが望まれる。
【発明の概要】
【発明が解決しようとする課題】
【０００３】
本発明は、はしごのラックの足掛かりにケーブルを固定するクレードルクランプブラケット組立体に関する。
【課題を解決するための手段】
【０００４】
クレードルクランプブラケット組立体は、第１部分及び隆起第２部分を備えた細長いブラケットを含む。第１部分は、ブラケットの中心に沿って位置するスロットを有する。第２部分は、下方に伸びるフランジ及びブラケットを補強する少なくとも１つのガセットを有する。クレードルクランプブラケット組立体はさらに、スロット内で受け、かつクレードルクランプブラケット組立体を固定するためにはしごのラックの足掛かりに係合する保定具を含む。
【０００５】
クレードルクランプブラケット組立体の他の実施形態は、細長いスロット及び隆起部材を有するブラケットを含んでもよい。細長いスロットは、ブラケットの中心でブラケットの長さに伸びる。保定ブラケットは、細長いスロット内に配置される。保定ブラケットは、締め具を受けるための開口部を備えた垂直部材及び水平部材を含む。はしごのラックは、保定ブラケットと隆起部材との間のブラケット上に配置される。締め具は、保定ブラケットの水平部材がクレードルクランプブラケット組立体を固定するためにはしごのラックに係合するように締められる。
【０００６】
クレードルクランプブラケット組立体の他の実施形態は、スロットを備えた凹状領域及び隆起部材を有するブラケットを含んでもよい。はしご足掛かりナットは、凹状領域内に配置される。締め具は凹状領域のスロットを通じてはしご足掛かりナットへと伸び及び圧縮バネは締め具に係合する。クレードルクランプブラケット組立体は、はしごのラックの下に配置され、かつはしご足掛かりナットは、はしごのラックを係合するよう締められ、それによりクレードルクランプブラケット組立体を固定する。
【図面の簡単な説明】
【０００７】
【図１】はしご足掛かり上に取り付けられたクレードルクランプブラケット組立体の第１実施形態の斜視図である。
【図２】はしご足掛かりに取り付けられた図１のクレードルクランプブラケット組立体の左上斜視図である。
【図３】はしご足掛かりに取り付けられた図１のクレードルクランプブラケット組立体の左下斜視図である。
【図４】はしご足掛かりに取り付けられた図１のクレードルクランプブラケット組立体の右下斜視図である。
【図５】図１のクレードルクランプブラケット組立体の斜視図である。
【図６】図５のクレードルクランプブラケット組立体の分解図である。
【図７】はしご足掛かり上に配置された図１のクレードルクランプブラケット組立体の側面図である。
【図８】はしご足掛かり上にクレードルクランプブラケット組立体を固定するためにナット締めされた図７のクレードルクランプブラケット組立体の側面図である。
【図９】ケーブル、クッションスリーブ及びステンレス鋼の留め紐またはストラップを受けるために配置された図２のクレードルクランプブラケット組立体の部分的分解斜視図である。
【図１０】図２のはしご足掛かり上に取り付けられたクレードルクランプブラケット組立体の１０−１０線による断面図である。
【図１１】はしご足掛かり上に取り付けられた本発明のクレードルクランプブラケット組立体の第２実施形態の上面斜視図である。
【図１２】図１１のはしご足掛かり上に取り付けられたクレードルクランプブラケット組立体の底面斜視図である。
【図１３】図１１のクレードルクランプブラケット組立体の分解図である。
【図１４】図１３のクレードルクランプブラケット組立体の組み立てられた斜視図である。
【図１５】はしご足掛かり上に配置された図１４のクレードルクランプブラケット組立体の断面図である。
【図１６】その上にケーブル、クッションスリーブ及びステンレス鋼の締め紐またはストラップが固定された、共図１１のはしご足掛かり上に取り付けられたクレードルクランプブラケット組立体の断面図である。
【図１７】はしご足掛かり上に取り付けられた本発明のクレードルクランプブラケット組立体の第３実施形態の上面斜視図である。
【図１８】図１７のはしご足掛かり上に取り付けられたクレードルクランプブラケット組立体の底面斜視図である。
【図１９】図１７のクレードルクランプブラケット組立体の分解斜視図である。
【図２０】取り付け位置に配置されたはしご足掛かりと共に図１９のクレードルクランプブラケット組立体が組み立てられた斜視図である。
【図２１】図２０のクレードルクランプブラケット組立体及びはしご足掛かりの断面図である。
【図２２】図２１のクレードルクランプブラケット組立体の２２−２２線による断面図である。
【図２３】はしご足掛かりがクレードルクランプブラケット組立体に取り付けられ、Ｊフックにナット締めされた図２１のクレードルクランプブラケット組立体の断面図である。
【図２４】図２３のクレードルクランプブラケット組立体の２４−２４線による断面図である。
【図２５】はしご足掛かり上に取り付けられたクレードルクランプブラケット組立体の第４実施形態の斜視図である。
【図２６】はしご足掛かり上に取り付けられた図２５のクレードルクランプブラケット組立体の底面斜視図である。
【図２７】図２５のクレードルクランプブラケット組立体の分解斜視図である。
【図２８】図２７の保定ブラケットの底面斜視図である。
【図２９】はしご足掛かり上の取り付け位置にある図２７のクレードルクランプブラケット組立体の組み立てられた斜視図である。
【図３０】クレードルクランプブラケット組立体の図２９における３０−３０線による断面図である。
【図３１】クレードルクランプブラケット組立体の図２９における３１−３１線による断面図である。
【図３２】長方形のはしご足掛かり上に取り付けられた図２５のクレードルクランプブラケット組立体の断面図である。
【図３３】フランジ形端部のあるはしご足掛かり上に取り付けられた図２５のクレードルクランプブラケット組立体の斜視図である。
【図３４】図３３のクレードルクランプブラケット組立体及びはしご足掛かりの底面斜視図である。
【図３５】円形はしご足掛かりの周囲に取り付けられた図２５のクレードルクランプブラケット組立体の斜視図である。
【図３６】図３５のクレードルクランプブラケット組立体及びはしご足掛かりの側面図である。
【図３７】トップハット形はしご足掛かり上に取り付けられた別のクレードルクランプブラケット組立体の斜視図である。
【図３８】図３７のクレードルクランプブラケット組立体の底面斜視図である。
【図３９】図３７のクレードルクランプブラケット組立体の保定ブラケットの底面斜視図である。
【図４０】クレードルクランプブラケット組立体及びトップハット形はしご足掛かりの図３７における４０−４０線による断面図である。
【図４１】クレードルクランプブラケット組立体の図４０における４１−４１線による断面図である。
【図４２】支柱足掛かり上に取り付けられた図３７のクレードルクランプブラケット組立体の斜視図である。
【図４３】クレードルクランプブラケット組立体の図４２における４３−４３線による断面図である。
【図４４】桁足掛かり上に取り付けられた図３７のクレードルクランプブラケット組立体の斜視図である。
【図４５】クレードルクランプブラケット組立体の図４４における４５−４５線による断面図である。
【図４６】はしご足掛かり上に取り付けられたクレードルクランプブラケット組立体の第５実施形態の上面斜視図である。
【図４７】はしご足掛かり上に取り付けられた図４６のクレードルクランプブラケット組立体の底面斜視図である。
【図４８】図４６のクレードルクランプブラケット組立体の分解斜視図である。
【図４９】はしご足掛かり上に固定される位置にある図４８のクレードルクランプブラケット組立体の上面斜視図である。
【図５０】クレードルクランプブラケット組立体及びはしごのラックの図４９における５０−５０線による断面図である。
【図５１】クレードルクランプブラケット組立体及びはしごのラックの図４６における５１−５１線による断面図である。
【図５２】別の幅の足掛かり上に配置された図４６のクレードルクランプブラケット組立体の斜視図である。
【図５２Ａ】トップハット形はしご足掛かり上に取り付けられたクレードルクランプブラケット組立体の斜視図である。
【図５２Ｂ】桁足掛かり上に取り付けられたクレードルクランプブラケット組立体の斜視図である。
【図５３】クレードルクランプブラケット組立体及びはしごのラックの図５２における５３−５３線による断面図である。
【図５３Ａ】図５２Ａのクレードルクランプブラケット組立体及びトップハット形はしご足掛かりの側面図である。
【図５３Ｂ】図５２Ｂのクレードルクランプブラケット組立体及び桁足掛かりの側面図である。
【図５４】はしご足掛かり上に取り付けられたクレードルクランプブラケット組立体の第６実施形態の斜視図である。
【図５５】はしご足掛かり上に取り付けられた図５４のクレードルクランプブラケット組立体の底面斜視図である。
【図５６】図５４のクレードルクランプブラケット組立体の斜視図である。
【図５７】図５４のクレードルクランプブラケット組立体の分解斜視図である。
【図５８】はしご足掛かりに固定する前の図５４のクレードルクランプブラケット組立体の斜視図である。
【図５９】図５８のクレードルクランプブラケット組立体の５９−５９線による断面図である。
【図６０】図５９のクレードルクランプブラケット組立体の６０−６０線による断面図である。
【図６１】はしご足掛かりに固定される図５４のクレードルクランプブラケット組立体の斜視図である。
【図６２】図６１のクレードルクランプブラケット組立体の６２−６２線による断面図である。
【図６３】はしご足掛かりに固定された図６２のクレードルクランプブラケット組立体の断面図である。
【図６４】はしご足掛かり上に取り付けられたクレードルクランプブラケット組立体の第７実施形態の斜視図である。
【図６５】図６４のクレードルクランプブラケット組立体の斜視図である。
【図６６】図６４のクレードルクランプブラケット組立体の分解斜視図である。
【図６７】はしご足掛かり上の取り付け位置にある図６４のクレードルクランプブラケット組立体の側面図である。
【図６８】図６７のクレードルクランプブラケット組立体の６８−６８線による断面図である。
【図６９】はしご足掛かり上に部分的に取り付けられた図６４のクレードルクランプブラケット組立体の側面図である。
【図７０】図６９のクレードルクランプブラケット組立体の７０−７０線による断面図である。
【図７１】図６４のクレードルクランプブラケット組立体の側面図である。
【発明を実施するための形態】
【０００８】
本発明のクレードルクランプブラケット組立体は、ステンレス鋼の締め紐またはストラップ９０を用いて少なくとも１本のケーブル７０をはしご足掛かり６０に固定する。以下に記述されるように、ブラケット組立体は、はしご足掛かり６０の下に置かれ、かつそこへ固定される。クッションスリーブ８０は、ケーブル７０の周囲に巻かれ、ステンレス鋼の締め紐またはストラップ９０は、ブラケット及びクッションスリーブ８０の一端の下で巻かれ、それによりケーブル７０をはしご足掛かり６０に固定する。
【０００９】
図１〜１０は、クレードルクランプブラケット組立体１００の第１実施形態を説明する。図５及び６に説明されるように、クレードルクランプブラケット組立体１００は、一片の金属ブラケット１０２、根角ボルト１４０、及び六角ナット１４２を含む。ブラケット１０２は、上面１０４、底面１０６、第１側面１０８、第２側面１１０、第１端部１１２、及び第２端部１１４を含む。ブラケット１０２の上面１０４は、様々なサイズのはしご足掛かりを受けるための開口部１２０を形成形成する。ブラケット１０２の上面１０４は、クレードルクランプブラケット組立体１００が固定される時にはしご足掛かり６０を係合する接点１２２を同様に形成形成する。ブラケット１０２の上面１０４は、ガセット１２４及び下方に伸びるフランジ１２６を含む。ガセット１２４は、ブラケット１０２の強度を増加する。ブラケットの各側面１０８、１１０は、はしご足掛かり６０のための開口部１２８及びＶ型の切込み１３０を含む。Ｖ型の切込み１３０は、ナット１４２が締められる時、ブラケット１０２がはしご足掛かり６０に係合できるようにする。ブラケット１０２の第１端部１１２は、円形の開口部１３２を含み、ブラケット１０２の第２端部１１４は、根角ボルト１４０を受けるための長方形の開口部１３４を含む。
【００１０】
図７〜１０は、クレードルクランプブラケット組立体１００の取り付けを説明する。図７に説明されるように、ブラケット１０２は、はしご足掛かり６０の下に置かれる。次に、図８に説明されるように、ナット１４２は、ブラケット組立体１００をはしご足掛かり６０に固定するよう締められる。接点１２２は、はしご足掛かり６０に接触力を生み出すようはしご足掛かり６０に係合し、それによりはしご足掛かり６０の側方及び回転の動作を制御する。図９に説明されるように、クッションスリーブ８０は、ケーブル７０の周囲に巻かれる。クッションスリーブ８０及びケーブル７０は、ブラケット１０２の上面１０４に配置される。ステンレス鋼の締め紐またはストラップ９０は、図４及び１０に説明されるように、クッションスリーブ８０の周囲及びブラケット１０２の下に巻かれる。ツール（図示せず）は、クレードルクランプブラケット組立体１００の取り付けを完了するために締め紐またはストラップ９０に張力をかけるよう用いられる。
【００１１】
図１１〜１６は、クレードルクランプブラケット組立体２００の第２実施形態を説明する。  図１３に説明されるように、クレードルクランプブラケット組立体２００は、保定ブラケット２０２、金属ブラケット２２２、根角ボルト２４６、及びナット２４８を含む。保定ブラケット２０２は、接点２０６を備えた上面２０４、底面２０８、第１側面２１０、第２側面２１２、及び端部２１４を含む。端部２１４は、ブラケットが組み立てられる時、根角ボルト２４６を受けるための円形の開口部２１６を含む。第１側面２１０及び第２側面２１２は、それぞれ回転軸を形成形成する縁辺部２１８、２２０を含む。
【００１２】
金属ブラケット２２２は、上面２２４、底面２２６、第１側面２２８、第２側面２３０、及び端部２３２を含む。上面２２４は、接点２３４、ガセット２３６及び下方に伸びるフランジ２３８を含む。ガセット２３６は、金属ブラケット２２２の強度を増加する。端部２３２は、保定ブラケット２０２及び金属ブラケット２２２が組み立てられる時、根角ボルト２４６を受けるための長方形の開口部２４０を含む。第１側面２２８及び第２側面２３０は、それぞれ回転軸を形成する縁辺部２４２、２４４を含む。回転軸は、ボルト２４６が締められる時、はしご足掛かり６０の周囲で押しつける。図１４に説明されるように、保定ブラケット２０２及び金属ブラケット２２２は、根角ボルト２４６及びナット２４８を介して互いに固定される。クレードルクランプブラケット組立体２００は、様々なサイズのはしご足掛かりを受けるための開口部２５０を形成する。クレードルクランプブラケット組立体２００はさらに、クレードルクランプブラケット組立体２００がはしご足掛かり６０に取り付けられる時、クレードルクランプブラケット組立体２００をはしご足掛かり６０に係合させるためのＶ型の切込み２５２を形成する。
【００１３】
図１５〜１６に説明されるように、クレードルクランプブラケット組立体２００は、図１〜１０のクレードルクランプブラケット組立体１００と同じようにはしご足掛かりに取り付けられる。図１５に説明されるように、クレードルクランプブラケット組立体２００は、はしご足掛かり６０の下に置かれる。ナット２４８は、クレードルクランプブラケット組立体２００をはしご足掛かり６０に固定するよう締められる。クッションスリーブ８０は、ケーブル７０の周囲に巻かれる。クッションスリーブ８０及びケーブル７０は、クレードルクランプブラケット組立体２００の金属ブラケット２２２の上面２２４に配置される。ステンレス鋼の締め紐またはストラップ９０は、図１６に説明されるように、クッションスリーブ８０の周囲及びクレードルクランプブラケット組立体２００の下に巻かれる。ツール（図示せず）は、クレードルクランプブラケット組立体２００の取り付けを完了するために締め紐またはストラップ９０に張力をかけるよう用いられる。
【００１４】
図１７〜２４は、クレードルクランプブラケット組立体３００の第３実施形態を説明する。図１９に説明されるように、クレードルクランプブラケット組立体３００は、Ｊフック３０２、金属ブラケット３１４、及びナット３３６を含む。Ｊフック３０２は、接点３０６を備えた上面３０４、平面部材３１０を備えた中心３０８及びねじ状端部３１２を含む。金属ブラケット３１４は、ガセット３１８を備えた上面３１６及び下方に伸びるフランジ３２０を含む。ガセット３１８は、金属ブラケット３１４の強度を増加する。金属ブラケット３１４はさらに、底面３２２、第１端部３２４、第２端部３２６、第１側面３２８及び第２側面３３０を含む。第１端部３２４は、Ｊフック３０２の平面部材３１０を受けるための切込み３３２を含み、第２端部３２６は、Ｊフック３０２のねじ状端部３１２を受けるための開口部３３４を含む。
【００１５】
図２０〜２４に説明されるように、クレードルクランプブラケット組立体３００は、前述のクレードルクランプブラケット組立体２００の取り付けと同じようにはしごのラックに固定される。クレードルクランプブラケット組立体３００は、はしご足掛かり６０の下に置かれる（図２３参照）。ナット３３６は、クレードルクランプブラケット組立体３００をはしご足掛かり６０に固定するよう締められる。Ｊフック３０２上の接点３０６は、適所に固定される時、はしご足掛かり６０上に集中力を生み出す。クッションスリーブ８０、ケーブル７０及びステンレス鋼の締め紐またはストラップ９０は、図１〜１６に説明されるクレードルクランプブラケット組立体１００、２００に関して前述のようにクレードルクランプブラケット組立体３００及びはしご足掛かり６０に取り付けられる。
【００１６】
図２５〜３６は、長方形のはしご足掛かり６２に取り付けられた本発明のクレードルクランプブラケット組立体４００の第４実施形態を説明する。クレードルクランプブラケット組立体４００は、金属ブラケット４０２、保定ブラケット４１２及びボルトのような締め具４４０を含む。金属ブラケット４０２は、締め具４４０及び保定ブラケット４１２を受けるための細長い長方形スロット４０４を含む。金属ブラケット４０２の一端はさらに、クッションスリーブ８０及びステンレス鋼の締め紐またはストラップ９０を受けるための、下方に伸びるフランジ４０８を備えた隆起部材４０６を含む。
【００１７】
保定ブラケット４１２は、締め具４４０を受けるための、円形の開口部４１６を備えた上面４１４を含む。上面の一端は、補強層４１８を供給するために巻き付く。補強層４１８はさらに、締め具４４０を受けるための上面４１４の円形の開口部４１６と位置合わせされた円形の開口部４２０を含む。保定ブラケット４１２は、第１及び第２外側壁４２２、４２４をそれぞれ含む。各外側壁４２２、４２４は、第１及び第２外側壁４２２、４２４から離れた第１及び第２内側部材４２６、４２８を形成するために、巻き付き、かつ上面４１４の下に伸びる。各内側部材４２６、４２８は足４３０を含む。各内側部材４２６、４２８の足４３０は、クレードルクランプブラケット組立体４００が組み立てられる時、金属ブラケット４０２の細長いスロット４０４内に配置される。保定ブラケット４１２の一端は、上面４１４から伸びる複数の歯４３２及び各側面４２２、４２４から伸びるフランジ４３４を含む。複数の歯４３２及び各フランジ４３４は、クレードルクランプブラケット組立体４００が取り付けられる時、はしご足掛かり６２上に集中力を生み出す接点である。
【００１８】
図２９〜３１に説明されるように、クレードルクランプブラケット組立体４００は、はしご足掛かり６２の下に置かれる。保定ブラケット４１２は、適所に係止するためにはしご足掛かり６２に対してスライドする。ボルト４４０、または他の締め具は、クレードルクランプブラケット組立体４００をはしご足掛かり６２に固定するよう締められる。
【００１９】
図２５、２６及び３２に説明されるように、クッションスリーブ８０は、ケーブル７０の周囲に巻かれ、ステンレス鋼の締め紐またはストラップ９０は、ケーブル７０をはしご足掛かり６２に固定するブラケット４０２及びクッションスリーブ８０の一端において隆起部材４０６の下で巻かれる。ツール（図示せず）は、締め紐またはストラップ９０に張力をかけるよう用いられ、それによりクレードルクランプブラケット組立体４００の取り付けが完了する。
【００２０】
図２５〜３２は、長方形のはしご足掛かり６２に取り付けられたクレードルクランプブラケット組立体４００を説明する。図３３〜３６に説明されるように、クレードルクランプブラケット組立体４００はさらに、様々なタイプのはしご足掛かりに用いられてもよい。例えば、クレードルクランプブラケット組立体４００は、支柱足掛かり６３（図３３〜３４）または円形足掛かり６４（図３５〜３６）に用いられてもよい。あるいは、クレードルクランプブラケット組立体４００ａは、フランジ形端部を有するはしご足掛かりと共に用いられてもよい。図３７〜４５に説明されるように、クレードルクランプブラケット組立体４００ａは、フランジ４０８ａを有する隆起部材４０６ａ及び保定ブラケット４１２ａを備えた金属ブラケット４０２ａを含む。保定ブラケット４１２ａは、歯またはフランジ接点を含まない。代わりに、接点４３４ａは、はしごのラック６５のフランジ形端部を受け入れるよう、保定ブラケット４１２ａの底面にある。クレードルクランプブラケット組立体４００ａは、トップハット形足掛かり６５（図３７〜４１）と共に、支柱足掛かり６６（図４２〜４３）の内部または桁足掛かり６７（図４４〜４５）に用いられてもよい。
【００２１】
図４６〜５３は、本発明のクレードルクランプブラケット組立体５００の第５実施形態を説明する。図４８の展開図で説明されるように、クレードルクランプブラケット組立体５００は、スロット付きブラケット５０２、保定ブラケット５２０、ボルト５４０及びナット５４２を含む。スロット付きブラケット５０２は、ブラケット５０２の長さに伸びる細長いスロット５０４及び細長いスロット５０４と交差する保定クリップスロット５０６を含む。保定クリップスロット５０６は、クレードルクランプブラケット組立体５００がはしご足掛かり幅の範囲内で用いられることを可能にする。
【００２２】
スロット付きブラケット５０２は、少なくとも１つのガセット５１２を備えた隆起部材５１０を含む。スロット付きブラケットはさらに、隆起部材５１０から下方に伸びるフランジ５１４を含む。
【００２３】
保定ブラケット５２０は、垂直部材５２２及び水平部材５２６を備えたＬ型である。垂直部材５２２は、スロット付きブラケット５０２の保定クリップスロット５０６の１つ内に配置される足または突出部５２４を含む。水平部材５２６は、図４９〜５３に関して前述のように、ボルト５４０を受けるための開口部５２８及びナット５４２が締められた時ブラケット組立体５００をはしご足掛かり６６に固定する複数の尖った接点５３０を含む。
【００２４】
クレードルクランプブラケット組立体５００を取り付けるために、保定ブラケット５２０はスロット付きブラケット５０２の保定クリップスロット５０６の１つに置かれる。より詳細には、保定ブラケット５２０の足または突出部５２４は、保定クリップスロット５０６の１つに配置される。保定ブラケット５２０は、はしご足掛かり６６を固定するのに締めることなく最適な適合を供給するスロット５０６内に配置される。根角ボルト５４０は、保定ブラケット５２０の開口部５２８内に置かれ、その後スロット付きブラケット５０２の細長いスロット５０４を通る。その後ナット５４２は、根角ボルト５４０に取り付けられる。
【００２５】
クレードルクランプブラケット組立体５００は、はしご足掛かり６６の下に置かれ、ナット５４２は、クレードルクランプブラケット組立体５００をはしご足掛かり６６に固定するよう締められる。図５１〜５３に説明されるように、ナット５４２が締められる時、保定ブラケット５２０は、はしご足掛かり６６に対して力が加えられる。前述のように、ケーブルをはしご足掛かり６６に固定するようクレードルクランプブラケット組立体５００を用いるために、ケーブルははしご足掛かりに配置され、クッションスリーブはケーブルの周囲に巻かれることになる。ステンレス鋼の締め紐またはストラップは、ケーブルの周囲及びスロット付きブラケットの下に巻かれることになる。ツールは、クレードルクランプブラケット組立体５００の取り付けを完了するために締め紐またはストラップに張力をかけるよう用いられることになる。
【００２６】
前述のように、図３７〜４５に関して、クレードルクランプブラケット組立体はさらに、フランジ形端部を有するはしご足掛かりに用いられてもよい。例えば、図５２Ａ及び５３Ａは、トップハット形足掛かり６５に固定されるクレードルクランプブラケット組立体５００ａを説明し、図５２Ｂ及び５３Ｂは、桁足掛かり６７に固定されるクレードルクランプブラケット組立体５００ｂを説明する。
【００２７】
図５４〜６３は、本発明のクレードルクランプブラケット組立体６００の第６実施形態を説明する。クレードルクランプブラケット組立体６００は、スロット付きブラケット６０２、保定ブラケット６２０、スペーサー６３２、ボルト６４０及びナット６４２を含む。スロット付きブラケット６０２は、ブラケット６０２の長さに伸びる細長いスロット６０４及び細長いスロット６０４と交差する保定クリップスロット６０６を含む。保定クリップスロット６０６は、クレードルクランプブラケット組立体６００がはしご足掛かり幅の範囲内で用いられることを可能にする。スロット付きブラケット６０２はさらに、ブラケット６０２に追加的強度を供給するために下方に伸びるリブ６０８を含む。
【００２８】
スロット付きブラケット６０２は、少なくとも１つのガセット６１２を備えた隆起部材６１０を含む。スロット付きブラケット６０２はさらに、隆起部材６１０から下方に伸びるフランジ６１４を含む。
【００２９】
保定ブラケット６２０は、垂直部材６２２及び水平部材６２６を備えたＬ型である。垂直部材６２２は、スロット付きブラケット６０２の保定クリップスロット６０６の１つ内に配置される足または突出部６２４を含む。水平部材６２６は、図５８〜６３に関して前述のように、ボルト６４０を受けるための開口部６２８及びナット６４２が締められた時ブラケット組立体６００をはしご足掛かりに固定する複数の尖った接点６３０を含む。
【００３０】
図５８〜６３に説明されるように、保定ブラケット６２０は、はしご足掛かり６２へのクレードルクランプブラケット組立体６００の保持強度を増加する角度ではしご足掛かり６２を係合するよう設計される。クレードルクランプブラケット組立体６００はさらに、スペーサー６３２を含む。スペーサー６３２は、取り付けの際ボルト６４０の締めすぎを防ぐポジティブストップを作り出す。
【００３１】
クレードルクランプブラケット組立体６００を取り付けるために、保定ブラケット６２０の足または突出部６２４は、保定クリップスロット６０６の１つに配置される。保定ブラケット６２０は、はしご足掛かり６２を固定するのに締めることなく最適な適合を供給するスロット６０６内に配置される。根角ボルト６４０は、保定ブラケット６２０の開口部６２８内に置かれ、その後スロット付きブラケット６０２の細長いスロット６０４を通る。その後ナット６４２は、根角ボルト６４０に取り付けられる。
【００３２】
クレードルクランプブラケット組立体６００は、はしご足掛かり６２の下に置かれ、ナット６４２は、クレードルクランプブラケット組立体６００をはしご足掛かり６２に固定するよう締められる。図５８〜６３に説明されるように、ナット６４２締められる時、保定ブラケット６２０は、はしご足掛かり６２に対して力が加えられる。前述のように、ケーブルをはしご足掛かり６２に固定するようクレードルクランプブラケット組立体６００を用いるために、ケーブルははしご足掛かりに配置され、クッションスリーブはケーブルの周囲に巻かれることになる。ステンレス鋼の締め紐またはストラップは、ケーブルの周囲及びスロット付きブラケットの下に巻かれることになる。ツールは、クレードルクランプブラケット組立体６００の取り付けを完了するために締め紐またはストラップに張力をかけるよう用いられる。
【００３３】
図６４〜７１は、本発明のクレードルクランプブラケット組立体７００の第７実施形態を説明する。クレードルクランプブラケット組立体７００は、支柱はしご足掛かりのフランジを係合し、かつブラケットとクレードルクランプブラケット組立体７００のはしご足掛かりナットの間でフランジを挟むよう設計される。
【００３４】
クレードルクランプブラケット組立体７００は、ブラケット７０２、ねじ７２０、圧縮バネ７２２及びはしご足掛かりナット７２４を含む。はしご足掛かりナット７２４は、ねじ穴７２６及び曲面７２８を含む。ブラケット７０２は、Ｔ型スロット７０４、スロット７０８を備えた凹状領域７０６、ガセット７１２を備えた隆起部材７１０及び隆起部材７１０から下方に伸びるフランジ７１４を含む。
【００３５】
凹状領域７０６及びスロット７０８は、ねじ７２０、圧縮バネ７２２及びはしご足掛かりナット７２４を受け入れる。圧縮バネ７２２は、ブラケット７０２をはしご足掛かり６６上に取り付ける時に取り付けを容易にするために、ねじ７２０及びはしご足掛かりナット７２４を真っ直ぐに保つ。凹状領域７０６は、バネ７２２の完全に圧縮した高さが凹みに合うことができ、それによりはしご足掛かりナット７２４を様々なはしご足掛かりに据え付けることができる。スロット７０８は、ねじ７２０及びはしご足掛かりナット７２４を中心で合わせることができ、それによりブラケット組立体が市場で見られるはしご足掛かり幅の範囲に固定できる。
【００３６】
図６７〜７１は、クレードルクランプブラケット組立体７００の取り付けを説明する。図６７に説明されるように、ブラケット７０２に取り付けられるねじ７２０及びはしご足掛かりナット７２４は、はしご足掛かり６６の下に配置される。はしご足掛かりナット７２４は、はしご足掛かりナット７２４の曲面７２８がはしご足掛かり６６の内壁と係合するまでねじ７２０と共に回転する。ねじ７２０が締められるにつれて、はしご足掛かりナット７２４は、はしご足掛かり６６のフランジ６８上に固定される。
【００３７】
前述のように、ケーブルをはしご足掛かり６６に固定するようクレードルクランプブラケット組立体７００を用いるために、ケーブルははしご足掛かりに配置され、クッションスリーブはケーブルの周囲に巻かれることになる。ステンレス鋼の締め紐またはストラップは、ケーブルの周囲及びスロット付きブラケットの下に巻かれることになる。ツールは、クレードルクランプブラケット組立体７００の取り付けを完了するために締め紐またはストラップに張力をかけるよう用いられることになる。
【００３８】
本発明のクレードルクランプブラケット組立体は、多数のケーブルサイズ及び様々なはしごのラック及びケーブルトレイ形式に用いられるよう設計される。ブラケット上の接点は、短絡適用のために固定が重要である時、集中力を生み出す。クッションスリーブは、ケーブルが動くのを防ぎ、損傷からケーブルを保護する役割がある。本発明のクレードルクランプブラケット組立体はさらに、取り付け用の一般的なツールをたった１つ必要とするのみであるため、取り付け時間が削減される。クレードルクランプブラケット組立体は、材料費の削減及び作業能率の増加により、従来のケーブルクリートを超える大きなコスト面でのメリットを提供する。
【００３９】
さらに、本発明の特に好ましい実施形態が示されかつ記述される一方で、本発明の教示から逸脱することなく変更及び修正が加えられてもよいことが、当業者に明らかとなる。先行の記述に明記される方法及び添付の図面は、説明の目的のみによって提供されるものであり、制限とはされない。
【符号の説明】
【００４０】
６０、６２、６６  ・・・はしご足掛かり
７０  ・・・ケーブル
８０  ・・・クッションスリーブ
９０  ・・・ストラップ
１００、２００、３００、４００、５００、６００、７００  ・・・クレードルクランプブラケット組立体
１０２、２２２、３１４、４０２  ・・・金属ブラケット
１２４、２３６、３１８、７１４  ・・・ガセット
１２６、２３８、４０８  ・・・フランジ
１４０、２４６、６４０  ・・・根角ボルト
１４２、２４８  ・・・六角ナット
２０２、４１２、５２０、６２０  ・・・保定ブラケット
３０２  ・・・Ｊフック
４４０  ・・・締め具
５０６  ・・・保定クリップスロット
６０２  ・・・スロット付きブラケット
６１０  ・・・隆起部材
６３２  ・・・スペーサー
７２２  ・・・圧縮バネ
【図１】
0006389271.tif 000002
【図２】
0006389271.tif 000003
【図３】
0006389271.tif 000004
【図４】
0006389271.tif 000005
【図５】
0006389271.tif 000006
【図６】
0006389271.tif 000007
【図７】
0006389271.tif 000008
【図８】
0006389271.tif 000009
【図９】
0006389271.tif 000010
【図１０】
0006389271.tif 000011
【図１１】
0006389271.tif 000012
【図１２】
0006389271.tif 000013
【図１３】
0006389271.tif 000014
【図１４】
0006389271.tif 000015
【図１５】
0006389271.tif 000016
【図１６】
0006389271.tif 000017
【図１７】
0006389271.tif 000018
【図１８】
0006389271.tif 000019
【図１９】
0006389271.tif 000020
【図２０】
0006389271.tif 000021
【図２１】
0006389271.tif 000022
【図２２】
0006389271.tif 000023
【図２３】
0006389271.tif 000024
【図２４】
0006389271.tif 000025
【図２５】
0006389271.tif 000026
【図２６】
0006389271.tif 000027
【図２７】
0006389271.tif 000028
【図２８】
0006389271.tif 000029
【図２９】
0006389271.tif 000030
【図３０】
0006389271.tif 000031
【図３１】
0006389271.tif 000032
【図３２】
0006389271.tif 000033
【図３３】
0006389271.tif 000034
【図３４】
0006389271.tif 000035
【図３５】
0006389271.tif 000036
【図３６】
0006389271.tif 000037
【図３７】
0006389271.tif 000038
【図３８】
0006389271.tif 000039
【図３９】
0006389271.tif 000040
【図４０】
0006389271.tif 000041
【図４１】
0006389271.tif 000042
【図４２】
0006389271.tif 000043
【図４３】
0006389271.tif 000044
【図４４】
0006389271.tif 000045
【図４５】
0006389271.tif 000046
【図４６】
0006389271.tif 000047
【図４７】
0006389271.tif 000048
【図４８】
0006389271.tif 000049
【図４９】
0006389271.tif 000050
【図５０】
0006389271.tif 000051
【図５１】
0006389271.tif 000052
【図５２】
0006389271.tif 000053
【図５２Ａ】
0006389271.tif 000054
【図５２Ｂ】
0006389271.tif 000055
【図５３】
0006389271.tif 000056
【図５３Ａ】
0006389271.tif 000057
【図５３Ｂ】
0006389271.tif 000058
【図５４】
0006389271.tif 000059
【図５５】
0006389271.tif 000060
【図５６】
0006389271.tif 000061
【図５７】
0006389271.tif 000062
【図５８】
0006389271.tif 000063
【図５９】
0006389271.tif 000064
【図６０】
0006389271.tif 000065
【図６１】
0006389271.tif 000066
【図６２】
0006389271.tif 000067
【図６３】
0006389271.tif 000068
【図６４】
0006389271.tif 000069
【図６５】
0006389271.tif 000070
【図６６】
0006389271.tif 000071
【図６７】
0006389271.tif 000072
【図６８】
0006389271.tif 000073
【図６９】
0006389271.tif 000074
【図７０】
0006389271.tif 000075
【図７１】
0006389271.tif 000076